(57)【要約】【課題】ＤＮＡマイクロアレイを用いた生態関連物質の検査用の反応容器に好適に用いられるスライドチップを提供する。【解決手段】反応容器は、上側ウェルを有する上側容器半体と、下側ウェルと流路を有する下側容器半体と、上側容器半体と下側容器半体の間に配置されるスライドチップ１４０とを備えている。スライドチップ１４０は、固相坦体１３１と、固相坦体１３１の上側に貼り合わされる上側支持部材１４４と、固相坦体１３１の下側に貼り合わされる下側支持部材１４６とを備えている。上側支持部材１４４と下側支持部材１４６はそれぞれ上側開口部１４５と下側開口部１４７を有し、上側開口部１４５は下側開口部１４７よりも小さい。【選択図】　　図９
2004045198.tif 000002
【特許請求の範囲】
【請求項１】
生態関連物質の検査に用いられる反応容器であり、
反応容器の上面に開口した上側ウェルを規定する開口部を有する上側容器半体と、
上側ウェルの下方に位置する下側ウェルを規定する開口部と、下側ウェルと外部空間を連絡する流路を規定する中空部とを有する下側容器半体と、
上側容器半体と下側容器半体との間に配置されるスライドチップであって、上側ウェルと下側ウェルの間に配置される反応部を有しているスライドチップとを備えており、
上側ウェルと下側ウェルと流路は共働して反応液を収容する空間を構成し、反応容器の上面に開口した上側ウェルは、反応容器の上方からの反応部の光学的な観察を可能にしている、反応容器であって、
スライドチップは、固相坦体と、固相坦体の上側に貼り合わされる上側支持部材と、固相坦体の下側に貼り合わされる下側支持部材とを備えており、上側支持部材と下側支持部材はそれぞれ上側開口部と下側開口部を有しており、これらの開口部を通して露出している固相坦体の部分が反応部を構成しており、上側開口部は下側開口部よりも小さい、生態関連物質の検査用の反応容器。
【請求項２】
請求項１において、上側開口部と下側開口部は共に円形であり、上側開口部の直径が下側開口部の直径よりも０．５ｍｍ以上小さい、生態関連物質の検査用の反応容器。
【請求項３】
請求項１において、固相坦体が光透過性多孔質体で構成されている、生態関連物質の検査用の反応容器。
【請求項４】
請求項３において、光透過性多孔質体は金属酸化膜で構成されている、生態関連物質の検査用の反応容器。
【請求項５】
請求項４において、金属酸化膜は、タンタル、チタン、アルミニウム、こられの合金から製造される、生態関連物質の検査用の反応容器。
【請求項６】
請求項５において、金属酸化膜が酸化アルミニウム多孔質膜である、生態関連物質の検査用の反応容器。
【請求項７】
反応容器の上面に開口した上側ウェルと、上側ウェルの下方に位置する下側ウェルと、上側ウェルと下側ウェルの間に配置される反応部を有している生態関連物質の検査用の反応容器に用いられるスライドチップであり、
固相坦体と、
固相坦体の上側に貼り合わされる上側支持部材と、
固相坦体の下側に貼り合わされる下側支持部材とを備えており、
上側支持部材と下側支持部材はそれぞれ上側開口部と下側開口部を有しており、これらの開口部を通して露出している固相坦体の部分が反応部を構成しており、上側開口部は下側開口部よりも小さい、スライドチップ。
【請求項８】
請求項７において、上側開口部と下側開口部は共に円形であり、上側開口部の直径が下側開口部の直径よりも０．５ｍｍ以上小さい、生態関連物質の検査用の反応容器。
【請求項９】
請求項７において、固相坦体が光透過性多孔質体で構成されている、生態関連物質の検査用の反応容器。
【請求項１０】
請求項９において、光透過性多孔質体は金属酸化膜で構成されている、生態関連物質の検査用の反応容器。
【請求項１１】
請求項１０において、金属酸化膜は、タンタル、チタン、アルミニウム、こられの合金から製造される、生態関連物質の検査用の反応容器。
【請求項１２】
請求項１１において、金属酸化膜が酸化アルミニウム多孔質膜である、生態関連物質の検査用の反応容器。
【発明の詳細な説明】
【０００１】
【発明の属する技術分野】
本発明は、遺伝子等の生態関連物質の検査に用いられる反応容器に関し、特に、ＤＮＡマイクロアレイを用いた生態関連物質の検査に好適に適用される反応容器に関する。
【０００２】
【従来の技術】
近年、ヒトを含む多くの生物やイネをはじめとする多くの植物の遺伝子等の生態関連物質の解析が進められている。
【０００３】
遺伝子等の生態関連物質の検査は、これまでは一般に電気泳動法により行なわれていた。電気泳動法では、検査に長い時間を必要とし、一度に行なえる検査の数も少数に限られる。
【０００４】
最近では、半導体等にＤＮＡを規則正しく配列したＤＮＡチップあるいはＤＮＡマイクロアレイを用いた新規な検査方法が開発されている。この新規な検査方法では、同時に複数の遺伝子等の生態関連物質を検査することができる。
【０００５】
【発明が解決しようとする課題】
しかし、この新規な検査方法は、検査に長い時間を必要とし、再現性の良い分析結果を得ることが難しい。
【０００６】
本出願人は、特願２００１−２３２５０１号において、三次元ＤＮＡマイクロアレイを用いた、簡便に短時間で遺伝子を検査し得る遺伝子検査装置と遺伝子検出方法を提案している。
【０００７】
この遺伝子検査では、反応液は、多孔質のフィルターを坦体とする三次元ＤＮＡマイクロアレイ（反応部）によって仕切られた液体収容部に入れられ、ポンプたとえばシリンジポンプによる加圧・減圧によって繰り返し反応部を通過させられる。これにより短時間の内に再現性良く核酸が得られる。
【０００８】
【課題を解決するための手段】
本出願人は、特願２００１−３９５１４０号において、このような遺伝子等の生態関連物質の検査に好適に適用され得る反応容器を提案している。
【０００９】
その反応容器は、反応容器の上面に開口した上側ウェルを規定する開口部を有する上側容器半体と、上側ウェルの下方に位置する下側ウェルを規定する開口部と、下側ウェルと外部空間を連絡する流路を規定する中空部とを有する下側容器半体と、上側容器半体と下側容器半体との間に配置されるスライドチップであって、上側ウェルと下側ウェルの間に配置される反応部を有しているスライドチップとを備えており、上側ウェルと下側ウェルと流路は共働して反応液を収容する空間を構成し、反応容器の上面に開口した上側ウェルは、反応容器の上方からの反応部の光学的な観察を可能にしている。
【００１０】
スライドチップは、固相坦体と、これを間に挟んで貼り合わされる上側支持部材と下側支持部材とを備えており、上側支持部材と下側支持部材はそれぞれ上側開口部と下側開口部を有しており、これらの開口部を通して露出している固相坦体の部分が反応部を構成している。
【００１１】
上側開口部と下側開口部は共に円形で同じ直径を有している。このため、大抵のスライドチップでは、上側開口部と下側開口部は、完全に合っているわけではなく、僅かながらずれている。従って、上側支持部材の上側開口部の内側に下側支持部材の一部が入り込んでいる。
【００１２】
このような上側開口部と下側開口部の位置ずれは、ＤＮＡマイクロアレイとして良好に利用できる領域を低下させる。また、上側支持部材の上側開口部の内側に入り込んでいる下側支持部材の部分は、蛍光反応検出結果に悪影響を与えるおそれもある。
【００１３】
本発明は、このような不具合を改善するスライドチップ向けられている。このスライドチップは、固相坦体と、これを間に挟んで貼り合わされる上側支持部材と下側支持部材とを備えており、上側支持部材と下側支持部材はそれぞれ上側開口部と下側開口部を有しており、上側開口部は下側開口部よりも小さい。
【００１４】
【発明の実施の形態】
以下、図面を参照しながら本発明の実施の形態について説明する。
【００１５】
反応容器１００は、少なくとも一つの反応液収容部、好ましくは複数の反応液収容部、例えば図１と図２に示されるように四つの反応液収容部を有している。反応液収容部の各々は、図３に示されるように、反応容器１００の上面に開口した上側ウェル１５２と、上側ウェル１５２の下方に位置する下側ウェル１１２と、下側ウェル１１２と外部空間を連絡する流路１１４とを有している。
【００１６】
続く説明では、反応容器１００は、これに限定されるわけではないが、四つの反応液収容部を有しているものとして進める。
【００１７】
反応容器１００は、上側ウェル１５２と下側ウェル１１２の間に配置された反応部１３２を更に有している。言い換えれば、上側ウェル１５２と下側ウェル１１２は反応部１３２によって仕切られている。
【００１８】
反応容器１００は、その上面に開口した上側ウェル１５２を有しており、このような上側ウェル１５２は、反応容器１００の上方からの反応部１３２の光学的な観察を可能にしている。
【００１９】
反応容器１００は、上述した構造を得るため、図１に示されるように、上側ウェル１５２を規定する開口部を有する上側容器半体１５０と、下側ウェル１１２を規定する開口部と、流路１１４を規定する中空部とを有する下側容器半体１１０と、反応部１３２を備えたスライドチップ１３０とを有している。下側容器半体１１０と上側容器半体１５０は、例えばポリカーボネート製であり、スライドチップ１３０を間に挟んで、ねじ止めや接着など任意の適当な手法によって互いに固定される。
【００２０】
反応容器１００は、好ましくは、上側ウェル１５２と反応部１３２を液密に保つために上側容器半体１５０とスライドチップ１３０の間に設けられた上側パッキン部材と、下側ウェル１１２と反応部１３２を液密に保つために下側容器半体１１０とスライドチップ１３０の間に設けられた下側パッキン部材とを更に備えている。
【００２１】
例えば、図３に示されるように、上側パッキン部材はＯリング１５５で構成され、下側パッキン部材はＯリング１１７で構成される。これに対応して、上側容器半体１５０は、上側ウェル１５２の周りを周回している、Ｏリング１５５を収容するリング状の溝を有している。下側容器半体１１０は、下側ウェル１１２の周りを周回している、Ｏリング１１７を収容するリング状の溝を有している。
【００２２】
このような上側容器半体１５０とスライドチップ１３０の間あるいは下側容器半体１１０とスライドチップ１３０の間に設けられたパッキン部材は、ウェルの各々を液密に保ち、これにより、外部空間からの影響を遮断すると共に、ウェルの間同士の影響をも遮断する。
【００２３】
上側容器半体１５０は、上側ウェル１５２を規定するためのテーパー状の貫通孔と、上側容器半体１５０の上面を貫通孔（上側ウェル１５２）から延びている溝１５４とを有している。
【００２４】
下側容器半体１１０は、下側ウェル１１２を規定するための凹部と、凹部（下側ウェル１１２）と外部空間を連絡する流路１１４とを有している。より詳しくは、下側容器半体１１０は、平らな側面１１８を有しており、流路１１４は、凹部（下側ウェル１１２）の底面から延び、下側容器半体１１０の側面１１８で終端している。
【００２５】
反応容器１００は、後述するように、例えば図４に示される反応容器保持機構２００に取り付けられる。その際、例えば、反応容器１００には、反応容器保持機構２００との間を液密に保つために、パッキン部材が設けられる。
【００２６】
パッキン部材は例えばＯリングで構成される。これに対応して、下側容器半体１１０は、更に、流路１１４が終端している側面すなわち流路終端側面１１８に、流路１１４の開口端を取り囲んでいる、Ｏリングを収容するためのリング溝１１６を有している。
【００２７】
パッキン部材は、Ｏリングに限定されるものではなく、パッキン部材（あるいはシール部材）として知られている他の任意の部材が適用可能である。例えば、パッキン部材は、図７に示されるガスケット１８０であってもよい。その場合、下側容器半体１１０はＯリングを収容するリング状の溝を有している必要はない。
【００２８】
下側容器半体１１０は、さらに、反応部１３２の破損すなわち裂けや破れを避けるために、反応部１３２の変形を抑えるための、凹部（下側ウェル１１２）の底面に形成された一つまたは複数の突起を有していてもよい。突起は、ピン状の形状であっても、板状の形状であってもよい。
【００２９】
前述したように、反応液収容部は、図３に示されるように、上側ウェル１５２と下側ウェル１１２と流路１１４とで構成されている。下側ウェル１１２と流路１１４の容積の合計は、上側ウェル１５２の容積よりも大きい。従って、下側ウェル１１２と流路１１４は、最初に上側ウェル１５２に入れられる反応液の全量を収容し得る。流路１１４は、十分な容積を得るために、拡張部分いわゆる液だまりを有していてもよい。
【００３０】
反応液の蒸発を抑えるため、好ましくは、反応容器１００は平らな上面を有し、その上にカバーガラス４１０が載せられる。カバーガラス４１０は、上側ウェル１５２の全体を覆い、溝１５４を部分的に覆うように置かれる。上側ウェル１５２の全体的な覆いは反応液の蒸発を最小に抑え、溝１５４の部分的な覆いは上側ウェル１５２と外部空間の間の空気の流通を与える。
【００３１】
より好ましい反応容器では、空気の流通を確実に確保するため、上側容器半体１５０はカバーガラス４１０の載置位置を定めるための凹部１５６を更に有し、凹部１５６は平らな底面を有しており、溝１５４は凹部１５６の外にまで延びている。このような構造的特徴は、カバーガラス４１０によって溝１５４の全体が覆われるのを確実に避け得る。
【００３２】
反応容器１００は、例えば図４に示される反応容器保持機構２００に着脱可能に取り付けられる。
【００３３】
反応容器保持機構２００は、載置台２１０と、載置台２１０に設けられた受け部２３０と、反応容器１００を固定するための一対の押し付け機構２５０とを有している。受け部２３０は、反応容器１００の流路終端側面１１８が押し当てられる当て付け面２３２を有している。押し付け機構２５０は、反応容器１００を受け部２３０に押し付けて、反応容器１００を保持する。
【００３４】
押し付け機構２５０の各々は、例えば、ねじを利用した機械的な機構であり、載置台２１０に固定された固定部２５２と、回転操作されるレバー部２５４と、レバー部２５４の回転操作に応じて移動するスライダー部２５６とを有している。一対の固定部２５２は、反応容器１００の幅よりも若干広い間隔で配置されており、装着される反応容器１００の横位置を規定するガイドを兼ねている。
【００３５】
受け部２３０は、図５に示されるように、その内部を貫通する貫通孔２３４を有している。貫通孔２３４の一端は当て付け面２３２で終端し、貫通孔２３４の他端にはチューブ４３０が取り付けられている。チューブ４３０は、図示しないポンプ、例えばシリンジピストンと流体的に連結されている。受け部２３０の貫通孔２３４は、反応容器１００の流路１１４の開口端と同じピッチで並んでいる。
【００３６】
反応容器１００は、流路終端側面１１８を受け部２３０の当て付け面２３２に向けて、載置台２１０の上に置かれる。反応容器１００の横位置は、一対の押し付け機構２５０の固定部２５２によってほぼ決められ、また、反応容器１００の縦位置も、受け部２３０とスライダー部２５６によってほぼ決められる。
【００３７】
レバー部２５４の回転によりスライダー部２５６が受け部２３０に向けて移動される。スライダー部２５６の移動は、反応容器１００を受け部２３０に押し付ける。反応容器１００は、Ｏリング４２０を介して、受け部２３０と気密に連結される。
【００３８】
このような反応容器保持機構２００による反応容器１００の固定により、反応容器１００の流路１１４は、受け部２３０の貫通孔２３４と流体的に連絡される。従って、反応容器１００の流路１１４は、受け部２３０の貫通孔２３４とチューブ４３０を介して、シリンジピストン等のポンプと流体的に連結される。
【００３９】
このように反応容器保持機構２００は反応容器１００を容易に着脱可能に保持し得る。
【００４０】
反応容器保持機構２００は、反応容器１００の温度を制御するための容器温度調整機構の一部を有している。容器温度調整機構は、例えば、反応容器１００を加熱するための加熱手段を有している。容器温度調整機構は、より応答性の速い温度制御のために、反応容器１００を冷却するための冷却手段を更に有していてもよい。
【００４１】
このため、載置台２１０は、例えば、電流供給に応じて発熱するヒーターを有している。あるいは、載置台２１０は、高温の流体、例えば液体や気体を循環させるための循環路を有していてもよい。
【００４２】
反応容器保持機構２００は、カバーガラス４１０の曇り発生を避けるために、カバーガラス４１０の近傍の雰囲気の温度を調整するための雰囲気温度調整機構の一部を有している。雰囲気温度調整機構は、カバーガラス４１０の近傍の雰囲気を反応容器１００の温度よりも高い温度にするための加熱手段を有している。
【００４３】
このため、反応容器保持機構２００は、図４と図５に示されるように、反応容器１００の上面の近くに、反応容器１００から離して配置される板状部材２７０を有し、板状部材２７０は、例えば、電流供給に応じて発熱するヒーターを有している。あるいは、板状部材２７０は、高温の流体、例えば液体や気体を循環させるための循環路を有していてもよい。
【００４４】
板状部材２７０は、反応容器１００の着脱作業を容易にするために、好ましくは、図４と図５に示されるように、リンク２７２を介して載置台２１０に対して移動可能に設けられている。
【００４５】
板状部材２７０は、上方からの反応容器の光学的観察を可能にする窓２７４を有している。板状部材２７０の窓２７４は、好ましくは、反応容器の上面近傍に、反応容器よりも高温の雰囲気を効率良く作るために、光学的に透明な部材で覆われている。このような部材は、例えばガラスであるが、熱伝導率が高く透明度が高い材質がより好ましい。
【００４６】
反応容器保持機構２００は、図６に概略的に示されるように、ＸＹステージ３１０を介して、光学顕微鏡３００のステージ、例えばＺステージ３２０に組み付けられる。反応容器保持機構２００に保持された反応容器１００は、光学顕微鏡３００によって上方より光学的に観察される。前述したように反応容器１００の上側ウェル１５２は上面に開口しているため、光学顕微鏡３００によって、反応部１３２で起きる反応が上方から観察され得る。
【００４７】
反応容器１００は反応容器保持機構２００に適宜装着される。装着された反応容器１００の流路１１４は、受け部２３０の貫通孔２３４とこれに接続されたチューブ４３０を介して、ポンプと連絡される。これにより、反応容器１００の反応液収容部内（上側ウェル１５２と下側ウェル１１２と流路１１４）の反応液は、空気層を途中に挟んで、ポンプの内部空間と流体的に連絡される。
【００４８】
ポンプは、反応液との間に存在する空気を吸引し、従って反応容器の流路１１４を減圧し得る。減圧に応じて、反応液は、反応部１３２を通って、上側ウェル１５２から下側空間（下側ウェル１１２と流路１１４の空間）へ移動する。
【００４９】
前述したように反応液収容部の下側空間（下側ウェル１１２と流路１１４）の全容積は、上側ウェル１５２の容積よりも大きいため、最初に上側ウェル１５２に入れられた反応液は、その全量が下側空間内に収容され得る。ポンプによる下側空間の減圧は、反応液が反応容器内に留まっている範囲で行なわれる。
【００５０】
また、ポンプは、反応容器の流路１１４を加圧し得る。加圧に応じて、反応液は、反応部１３２を通って、下側空間（下側ウェル１１２と流路１１４）から上側ウェル１５２へ移動する。
【００５１】
ポンプにより反応容器の流路１１４の減圧と加圧を繰り返し行なうことにより、反応液は、反応部１３２を通って、上側ウェル１５２と下側空間（下側ウェル１１２と流路１１４の空間）の間を行き来する。
【００５２】
このように反応液に繰り返し反応部１３２を通過させることにより、観察の対象物、例えば核酸が比較的短時間で検出できる。
【００５３】
反応容器１００は、例えば使い捨てであるが、これに限定されることはない。すなわち、一回の使用の後、スライドチップ１３０は破棄されるが、下側容器半体１１０と上側容器半体１５０は洗浄後に再使用されてもよい。
【００５４】
図７に示されるように、スライドチップ１３０は、例えば、固相坦体１３１と、これを支持する一対の支持部材１３４と１３６とで構成される。支持部材１３４と支持部材１３６は、固相坦体１３１を間に挟んで、貼り合わされている。
【００５５】
支持部材１３４と１３６は、それぞれ、互いに対応する位置に、反応部１３２を規定するための四つの円形の開口部１３５と１３７を有している。つまり、一つの反応部１３２は、固相坦体１３１の上下に位置する一対の開口部１３５と１３７を介して露出している固相坦体１３１の部分をいう。
【００５６】
支持部材１３４の開口部１３５と支持部材１３６の開口部１３７は共に円形で同じ直径を有している。また、スライドチップ１３０は、支持部材１３４と支持部材１３６を共に固相坦体１３１に貼り合わせることによって作製されるが、通常、貼り合わせ誤差が生じる。
【００５７】
このため、大抵のスライドチップ１３０では、支持部材１３４の開口部１３５と支持部材１３６の開口部１３７は、完全に合っているわけではなく、図８に示されるように、僅かながらずれている。その結果、上側の支持部材すなわち撮像系が位置する側の支持部材の開口部１３５の内側に、下側の支持部材の一部１３８が入り込んでいる。図８では、上側の支持部材の開口部１３５の内側に入り込んでいる下側の支持部材の部分１３８が、網掛けされた領域として描かれている。
【００５８】
このような開口部１３５と開口部１３７の位置ずれは、ＤＮＡマイクロアレイとして良好に利用できる領域を低下させる。すなわち、開口部１３５を通して露出している固相坦体１３１に対して多数のプローブスポットが形成されるが、下側の支持部材が入り込んでいる領域１３８に形成されたプローブスポットでは、反応液が良好に通過し得ないため、反応が十分に進まない。その結果、それらのプローブスポットからは、蛍光が良好に検出されないため、有効な情報が得られない。つまり、それらのプローブスポットは、実質的にＤＮＡマイクロアレイのプローブスポットとして利用できない。
【００５９】
また、固相坦体１３１に流体を通過させると、固相坦体１３１の裏側まで透けて見えることがある。このため、図８において、上側の支持部材の開口部１３５の内側に入り込んでいる下側の支持部材の部分１３８が、蛍光反応検出結果に悪影響を与えるおそれもある。例えば、蛍光反応検出時の撮像画像に、不所望な物質が写ってしまうことがある。また、貼り合わせのための接着剤の自家蛍光が撮像系に取り込まれることがある。これらは明らかに、検査結果の精度、従って検査装置の信頼性を低下させる。
【００６０】
このような事態の発生は、支持部材１３４の開口部１３５と支持部材１３６の開口部１３７との位置合わせに高い位置精度を要求することによって低減はされるが、そのような要求は今度はスライドチップ１３０の組み立て性を著しく阻害する。
【００６１】
このような事情を考慮して、改善されたスライドチップ１４０を図９に示す。図９に示されるように、スライドチップ１４０は、固相坦体１３１と、固相坦体１３１の上側に貼り合わされる上側支持部材１４４と、固相坦体１３１の下側に貼り合わされる下側支持部材１４６とを備えている。つまり、スライドチップ１４０は、固相坦体１３１と、これを間に挟んで貼り合わされる上側支持部材１４４と下側支持部材１４６とを備えている。
【００６２】
上側支持部材１４４と下側支持部材１４６はそれぞれ上側開口部１４５と下側開口部１４７を有しており、上側開口部１４５は下側開口部１４７よりも小さい。例えば、上側開口部１４５と下側開口部１４７は共に円形であり、上側開口部１４５の直径は、下側開口部１４７の直径よりも小さい。これらの支持部材を樹脂により作製する場合には、上側開口部１４５の直径は、下側開口部１４７の直径よりも０．５ｍｍ以上小さいことが好ましく、支持部材を金属により作製する場合には、上側開口部１４５の直径は、下側開口部１４７の直径よりも０．１ｍｍ以上小さいことが好ましい。
【００６３】
このようなスライドチップ１４０は、前述のスライドチップ１３０と同じ条件で組み立てた場合、図１０に示されるように、上側支持部材１４４の開口部１４５の内側に下側支持部材１４６が入り込んでいるといった事態が生じることが殆ど起こり得ない。スライドチップ１４０は、ほぼ確実に下側支持部材１４６が上側支持部材１４４の開口部１４５の内側に入り込んでいない状態で、組み立てられる。
【００６４】
固相坦体１３１は、より好ましくは、光透過性多孔質体であるとよい。光透過性多孔質体は例えば金属酸化膜で構成される。金属酸化膜は、タンタル、チタン、アルミニウム、こられの合金から製造され得る。なかでも酸化アルミニウム多孔質膜は、蛍光標識サンプルを検出する際に、照射される励起光を殆ど損失なく透過するので、特に好適である。
【００６５】
このような光透過性多孔質体は、スライドチップ１４０の組み立てを容易にする。すなわち、固相坦体１３１が光学的に透明であることにより、固相坦体１３１に上側支持部材１４４と下側支持部材１４６を張り合わせる際に、上側支持部材１４４の側から目視により、上側開口部１４５の内側に下側支持部材１４６が入らないように位置決めすることができる。
【００６６】
このような位置決めを行なうことにより、上側支持部材１４４の上側開口部１４５の内側に下側支持部材１４６が入り込むことを確実に避けて、固相坦体１３１に上側支持部材１４４と下側支持部材１４６を張り合わせる、すなわちスライドチップ１４０を組み立てることができる。例えば、酸化アルミニウム多孔質膜は、水等によりぬれた状態では、光をよく透過するために位置決めを容易に行なうことが可能である。
【００６７】
このようなスライドチップ１４０においては、上側開口部１４５の面積そのものＤＮＡマイクロアレイの領域に利用できる。
【００６８】
従って、スライドチップ１４０を利用することにより、高い精度の検査結果が得られる。つまり、スライドチップ１４０の使用は、検査装置の信頼性を向上させる。
【００６９】
これまで、図面を参照しながら本発明の具体的な実施形態を説明したが、本発明は、上述した実施形態に限定されることなく、その要旨を逸脱しない範囲で様々に変形されてよい。
【００７０】
【発明の効果】
本発明によれば、三次元ＤＮＡマイクロアレイを用いた生体関連物質の検査に好適に適用され得る反応容器が提供される。また、反応容器に好適に用いられるスライドチップがが提供される。
【図面の簡単な説明】
【図１】本発明の一実施形態の反応容器の分解斜視図である。
【図２】図１に示される反応容器の組立斜視図である。
【図３】図２のＩＩＩ−ＩＩＩ線に沿った反応容器の断面図である。
【図４】図１〜図３の反応容器が組み付けられる反応容器保持機構の斜視図である。
【図５】図４の反応容器保持機構の側面図であり、反応容器と反応容器保持機構の断面が部分的に示されている。
【図６】反応容器保持機構が組み込まれた顕微鏡の全体構成を概略的に示している。
【図７】図１に示されるスライドチップの分解斜視図である。
【図８】図７に示されたスライドチップを上方から見た平面図であり、上側支持部材の開口部と下側支持部材の開口部とがずれている様子を示している。
【図９】図７に示されたスライドチップと比較して改善されたスライドチップの分解斜視図である。
【図１０】図９に示されたスライドチップを上方から見た平面図であり、上側支持部材の開口と下側支持部材の開口とが図８と同じ程度ずれている様子を示している。
【符号の説明】
１４０　スライドチップ
１３１　固相坦体
１４４　上側支持部材
１４６　下側支持部材
１４５　上側開口部
１４７　下側開口部
【図１】
2004045198.tif 000003
【図２】
2004045198.tif 000004
【図３】
2004045198.tif 000005
【図４】
2004045198.tif 000006
【図５】
2004045198.tif 000007
【図６】
2004045198.tif 000008
【図７】
2004045198.tif 000009
【図８】
2004045198.tif 000010
【図９】
2004045198.tif 000011
【図１０】
2004045198.tif 000012